(57)【要約】  【課題】  先端付近にラチェット歯列をなす複数の係止用凹凸が設けられたベルトの着脱を容易にするバックルを提供する。  【解決手段】  バックル基台１１は、ベルト固定金具１５と、ベルト固定金具と対向して配設された係止爪挿入口１３とを有する。バックル板１２は、その先端に係止爪２３を有する。バックル基台１１とバックル板１２とを対向させ、係止爪２３を係止爪挿入口１３に位置させるとともに、スプリング３１で付勢させ、バックル基台１１とバックル板１２とを回転軸３２で枢支する。ベルト装着時には、ベルトの先端をバックル板１２とバックル基台１１との間からベルト固定金具１５内に挿入し、係止爪２３とベルトの係止用凹凸５２とを係合させる。ベルトを外す時には、バックル板１２を持ち上げ、係止爪２３を係止爪挿入口１３内に収納し、係止爪２３とベルトの係止用凹凸５２との係合を解除させる。【選択図】        図１
0003117129.tif 000002
【実用新案登録請求の範囲】
【請求項１】
先端付近にラチェット歯列をなす複数の係止用凹凸が設けられたベルト用のバックルであって、
バックル基台と、前記バックル基台に枢支されるバックル板とからなり、
前記バックル基台は、ベルト固定金具と、前記ベルト固定金具と対向して配設された係止爪挿入口とを有し、
前記バックル板は、その先端に係止爪を有し、
前記バックル基台と前記バックル板とを対向させ、前記係止爪を前記係止爪挿入口に位置させるとともに、前記係止爪が前記係止爪挿入口から突出するように付勢し、
ベルト装着時には、前記ベルトの先端を前記バックル板と前記バックル基台との間から挿入し、更に、前記ベルトの先端を前記ベルト固定金具を通過させ、前記係止爪挿入口から突出した前記係止爪を前記ベルトの係止用凹凸に係合させ、
ベルトを外す又はベルトを緩める時には、前記バックル板を持ち上げることによって、前記係止爪が前記係止爪挿入口内に収納され、前記係止爪と前記ベルトの係止用凹凸との係合が解除されるようにしたことを特徴とするベルト用バックル。
【請求項２】
回転軸から前記バックル板の端までの長さが前記回転軸から前記係止爪までの長さより長くなる位置で、前記バックル板を前記バックル基台に枢支したことを特徴とする請求項１に記載のベルト用バックル。
【請求項３】
更に、前記バックル板にストッパを設け、前記ストッパを前記バックル板のストッパ挿入口に挿入し、前記バックル板の回動範囲を規制するようにしたことを特徴とする請求項１に記載のベルト用バックル。
【請求項４】
前記係止爪の先端を、前記係止用凹凸と対応したＬ字状の形状とするようにしたことを特徴とする請求項１に記載のベルト用バックル。
【考案の詳細な説明】
【技術分野】
【０００１】
本発明は、ベルトの先端付近に係止用凹凸を設け、この係止用凹凸に係止爪を係合させるようにしたベルト用のバックルに関する。
【背景技術】
【０００２】
ベルトの先端付近に係止用凹凸を設け、この係止用凹凸に係止爪を係合させるようにしたベルト用のバックルが提案されている。図９は、この種の従来のベルト用のバックルの一例を示すものである。
【０００３】
図９において、バックル１０１内には、回動体１０２が設けられる。回動体１０２には、係止爪１０３が設けられる。回動体１０２は、内部のスプリングにより、矢印Ｐ１０１方向に付勢されている。ベルト１１１の先端付近には、ラチェット歯列をなす係止用凹凸１１２が設けられている。
【０００４】
ベルトを装着する際には、ベルト１１１の先端部をバックル１０１内に挿入し、回動体１０２の下を通過させる。回動体１０２は矢印Ｐ１０１方向に付勢されているため、ベルト１１１の先端部を回動体１０２の下に通過させると、回動体１０２の係止爪１０３がベルト１１１の係止用凹凸１１２に係合し、ラチェット機構が構成される。このため、ベルト１１１は、矢印Ａ１０１方向にのみ移動させることができる。
【０００５】
ベルトを外す又は緩めるときには、レバー１０４を矢印Ｐ１０２方向に回転させる。レバー１０４を回転させると、回動体１０２が矢印Ｐ１０２方向に回動し、回動体１０２の係止爪１０３とベルト１１１の係止用凹凸１１２との係合が解除される。これにより、ベルト１１１は矢印Ａ１０１方向にもＡ１０２方向にも動かすことが可能になり、ベルトを外し又はベルトを緩めることができる。
【０００６】
また、特許文献１には、板状止体が設けられた止め具本体と、ベルト尾端内面に設けられるラチェット歯列とから構成され、板状止体の後端は導桿上に取り付けられると共に、導桿には圧縮ばねが装着され、板状止体の前端内壁には爪部が突設されるようにしたものが開示されている。特許文献１に示されるものでは、ベルト用バックルを使用する際には、ベルト尾端を板状止体の内側より止め具本体に通す。この時、圧縮ばねによるねじれと弾性作用と爪とラチェット歯列が対応することにより、爪とラチェット歯列は随時噛み合い状態となる。ベルトを外すときには、押し部を押して、爪とラチェット歯列とを離脱させる。
【特許文献１】実用新案登録第３０１７６５６号公報
【考案の開示】
【考案が解決しようとする課題】
【０００７】
この種のベルトでは、ベルトの先端付近の係止用凹凸に係止爪を係合させることで、簡単に長さ調整が行える。ところが、従来のこの種のベルトでは、ベルトを外すときの操作がし難いという問題がある。
【０００８】
つまり、図９に示した従来のバックルでは、ベルトを外すときには、レバー１０４を回転させる必要がある。このレバー１０４は、バックル１０１の側面にあり、小さく、操作がしにくい。
【０００９】
また、特許文献１に示されるものでは、ベルトを外すときには、押し部を押して、爪とラチェット歯列とを離脱させる必要があり、この押し部は、バックルの付け根にあり、小さく、操作がしにくい。
【００１０】
本発明は、上述の課題に鑑み、先端付近にラチェット歯列をなす複数の係止用凹凸が設けられたベルト用のバックルであって、ベルトの着脱が容易であるとともに、係止爪とラチェット歯列との係合が確実になるようにしたバックルを提供することを目的とする。
【課題を解決するための手段】
【００１１】
上述の課題を解決するために、本発明に係るバックルは、先端付近にラチェット歯列をなす複数の係止用凹凸が設けられたベルト用のバックルにおいて、バックル基台と、バックル基台に枢支されるバックル板とからなり、バックル基台は、ベルト固定金具と、ベルト固定金具と対向して配設された係止爪挿入口とを有し、バックル板は、その先端に係止爪を有し、バックル基台とバックル板とを対向させ、係止爪を係止爪挿入口に位置させるとともに、係止爪が係止爪挿入口から突出するように付勢し、ベルト装着時には、ベルトの先端をバックル板とバックル基台との間から挿入し、更に、ベルトの先端をベルト固定金具を通過させ、係止爪挿入口から突出した係止爪をベルトの係止用凹凸に係合させ、ベルトを外す又はベルトを緩める時には、バックル板を持ち上げることによって、係止爪が係止爪挿入口内に収納され、係止爪とベルトの係止用凹凸との係合が解除されるようにしたことを特徴とする。
【００１２】
好ましくは、回転軸からバックル板の端までの長さが回転軸から係止爪までの長さより長くなる位置で、バックル板をバックル基台に枢支するようにしたことを特徴とする。
【００１３】
好ましくは、更に、バックル板にストッパを設け、ストッパをバックル板のストッパ挿入口に挿入し、バックル板の回動範囲を規制するようにしたことを特徴とする。
【００１４】
好ましくは、係止爪の先端を、係止用凹凸と対応したＬ字状の形状とするようにしたことを特徴とする。
【考案の効果】
【００１５】
本発明によれば、先端付近にラチェット歯列をなす複数の係止用凹凸が設けられたベルト用のバックルにおいて、バックル基台とバックル基台に枢支されるバックル板とから構成されるバックル本体とからなり、バックル基台は、ベルト固定金具と、ベルト固定金具と対向して配設された係止爪挿入口とを有し、バックル板は、その先端に係止爪を有し、バックル基台とバックル板とを対向させ、係止爪を係止爪挿入口に位置させるとともに、係止爪が係止爪挿入口から突出するように付勢し、ベルト装着時には、ベルトの先端をバックル板とバックル基台との間から挿入し、更に、ベルトの先端をベルト固定金具を通過させ、係止爪挿入口から突出した係止爪をベルトの係止用凹凸に係合させ、ベルトを外す又はベルトを緩める時には、バックル板を持ち上げることによって、係止爪が係止爪挿入口内に収納され、係止爪とベルトの係止用凹凸との係合が解除されるようにしている。このように、ベルト固定金具に対向して爪挿入口を設け、この爪挿入口に係止爪が配置させることで、係止爪とベルトの係止用凹凸との係合が確実になる。また、バックル板を持ち上げるだけで、簡単に、ベルトを外し又はベルトを緩めることができる。
【００１６】
また、本発明によれば、回転軸からバックル板の端までの長さが回転軸から係止爪までの長さより長くなる位置で、バックル板をバックル基台に枢支するようにしている。このため、てこの原理により、バックル板は軽く動かすことができる。
【００１７】
また、本発明によれば、バックル板にストッパを設け、ストッパをバックル板のストッパ挿入口に挿入し、バックル板の回動範囲を規制するようにしている。これにより、係止爪の移動範囲が制限され、ベルトが確実に固定される。
【００１８】
また、本発明によれば、係止爪の先端を、係止用凹凸と対応したＬ字状の形状とするようにしている。これにより、ベルトが確実に固定される。
【考案を実施するための最良の形態】
【００１９】
以下、本発明の実施の形態について図面を参照しながら説明する。図１は本発明の一実施形態のバックル１の構成を示す分解斜視図である。図１において、バックル１は、金属製のバックル基台１１と、このバックル基台１１に枢支される金属製のバックル板１２とから構成される。
【００２０】
バックル基台１１には、図２に示すように、爪挿入口１３が形成される。爪挿入口１３を中心とした両側には、ストッパ挿入口１４ａ及び１４ｂが配設される。また、バックル基台１１の両側面には、ベルト固定金具１５（図１）を取り付けるための取付部１６ａ及び１６ｂが形成される。
【００２１】
バックル基台１１には、側面板１７ａ及び１７ｂと、前面板１８が設けられる。側面板１７ａ及び１７ｂには、ピン挿入口１９ａ及び１９ｂが形成される。
【００２２】
図１において、バックル板１２は、板材２０に、連接部２１ａ及び２１ｂと、係止爪支持板２２とを設けた構成とされている。すなわち、図３に示すように、板材２０の一端の両側縁から連接部２１ａ及び２１ｂが延設され、連接部２１ａ及び２１ｂの先端に、係止爪支持板２２が設けられる。係止爪支持板２２の中央に係止爪２３が形成され、その両側には、ストッパ２４ａ及び２４ｂが延出される。また、係止爪支持板２２には、軸受部２５が設けられる。
【００２３】
係止爪２３は、図４に示すように、Ｌ字状に折り曲げた形状となっており、Ｌ字状に折り曲げられた先端が係止部２３ａとなっている。この係止部２３ａは、後述のベルト５１の係止用凹凸５２に対応した形状となっている。また、ベルト５１の係止用凹凸５２と係止爪２３との結合を強くするために、係止部２３ａの先端部分は厚くなっている。
【００２４】
バックル基台１１とバックル板１２とからバックル１を組み立てる際には、図１に示すように、バックル基台１１とバックル板１２とが対向して配置される。爪挿入口１３内に、係止爪２３を付勢するスプリング３１が配置される。そして、爪挿入口１３の上に、係止爪２３が位置され、ストッパ挿入口１４ａ及び１４ｂ内に、ストッパ２４ａ及び２４ｂが位置され、バックル基台１１のピン挿入口１９ａ及び１９ｂと、バックル板１２の軸受部２５とを連通して、回転軸３２が挿入される。これにより、バックル基台１１にバックル板１２が回動自在に枢支される。バックル基台１１の取付部１６ａ及び１６ｂに、ビス３３ａ及び３３ｂにより、コ字状のベルト固定金具１５が取り付けられる。ベルト固定金具１５は、係止爪２３と対向して配置される。
【００２５】
図５は、上述のバックル１に使用されるベルトの構成を示すものである。図５に示すように、ベルト５１の後端に、上述のバックル１が取り付けられる。ベルト５１の先端付近には、係止用凹凸５２が配置される。この係止用凹凸５２は、図６（Ａ)に示すように、２段並べて配置されている。また、この係止用凹凸５２は、図６（Ｂ）のＡ−Ａ断面図で示すように、同一方向に傾斜されて、ラチェット歯列をなしている。
【００２６】
使用時には、図７（Ａ）に示すように、バックル基台１１とバックル板１２との間からベルト５１の先端を挿入し、ベルト５１の先端がベルト固定金具１５を通過するように、矢印Ａ１方向にベルト５１を送る。
【００２７】
図５及び図６に示したように、ベルト５１の先端付近にはラチェット歯列をなす係止用凹凸５２が設けられている。また、図１に示したように、ベルト固定金具１５に対向して爪挿入口１３が設けられ、この爪挿入口１３に係止爪２３が配置されている。通常の状態では、スプリング３１の張力により係止爪２３が付勢され、係止爪２３が爪挿入口１３から突出している。このため、ラチェット機構が構成される。
【００２８】
つまり、通常の状態では、図８（Ａ）に示すように、スプリング３１の張力により係止爪２３が付勢され、係止爪２３が爪挿入口１３から突出している。図８（Ａ）に示すように、ベルト５１の先端をバックル基台１１とバックル板１２との間から挿入し、更に、ベルト５１の先端をベルト固定金具１５を通過させると、係止爪２３の先端がラチェット歯列をなす係止用凹凸５２に係合される。この状態では、ベルト５１は矢印Ａ１の一方向のみに動かすことができ、矢印Ａ２方向には動かすことができない。したがって、使用時には、バックル基台１１とバックル板１２との間からベルト５１の先端を挿入し、更に、ベルト５１の先端をベルト固定金具１５を通過させ、使用者の腰回りの大きさに合わせてベルト５１を送れば、使用者の腰回りに合った適切な位置でベルトが固定される。
【００２９】
ベルトを外すとき又は緩めるときには、図７（Ｂ）に示すように、バックル板１２を矢印Ｐ１方向に持ち上げ、ベルト５１を矢印Ａ２方向に引き抜く。
【００３０】
つまり、図８（Ｂ）に示すように、バックル板１２を矢印Ｐ１方向に持ち上げると、係止爪２３が下がり、係止爪２３が爪挿入口１３に収納される。このため、係止爪２３と係止用凹凸５２との係合状態が解除される。このため、ベルト５１は矢印Ａ１方向にもＡ２方向にも動かすことが可能になり、ベルト５１を矢印Ａ２方向に引き抜けば、ベルトを外し又はベルトを緩めることができる。
【００３１】
以上のように、本発明の一実施形態のバックル１では、使用時には、バックル基台１１とバックル板１２との間からベルト５１の先端を挿入し、更に、ベルト５１の先端をベルト固定金具１５を通過させることにより、ベルトが固定される。本発明の一実施形態では、ベルト固定金具１５に対向して爪挿入口１３が設けられ、この爪挿入口１３に係止爪２３が配置されている。ベルト固定金具１５内では、ベルトが上下に動くことがないため、係止爪２３とベルト５１の係止用凹凸５２との係合が確実になる。
【００３２】
また、本発明の一実施形態のバックル１では、バックル板１２を持ち上げるだけで、簡単に、ベルトを外し又はベルトを緩めることができる。つまり、この例では、図８において、回転軸３２からバックル板１２の端までの長さＬ１は、回転軸３２から係止爪２３までの長さＬ２より長く、例えば、回転軸３２からバックル板１２の端までの長さＬ１と、回転軸３２から係止爪２３までの長さＬ２との比は、例えば、（４：１）としている。このため、てこの原理により、バックル板１２は軽く動かすことができる。なお、この比は固定されたものではなく自由に変更できるものである。
【００３３】
また、本発明の一実施形態のバックル１では、係止爪２３の両側にストッパ２４ａ及び２４ｂが設けられ、爪挿入口１３の両側にストッパ挿入口１４ａ及び１４ｂが設けられ、ストッパ２４ａ及び２４ｂがストッパ挿入口１４ａ及び１４ｂに挿入される。このため、バックル板１２が必要以上に回動しないように回動範囲を規制することができる。
【００３４】
また、本発明の一実施形態のバックル１では、係止爪２３がＬ字状に折り曲げられた形状となっており、Ｌ字状に折り曲げられた先端が係止部２３ａとなっている。この係止部２３ａは、ベルトの係止用凹凸５２に対応した形状となるため、ベルトを確実に固定することができ、また、ベルトをスムーズに外し又はベルトを緩めることができる。
【００３５】
本発明は、上述した実施形態に限定されるものではなく、この発明の要旨を逸脱しない範囲内で様々な変形や応用が可能である。
【産業上の利用可能性】
【００３６】
本発明は、ズボンやスカートを腰の位置で固定するためのベルト用のバックルとして利用できる他、種々のベルト用のバックルとして広く利用することが可能である。
【図面の簡単な説明】
【００３７】
【図１】本発明の一実施形態のバックルの構成を示す分解斜視図である。
【図２】本発明の一実施形態のバックルにおけるバックル基台の構成を示す斜視図である。
【図３】本発明の一実施形態のバックルにおけるバックル板の構成を示す斜視図である。
【図４】本発明の一実施形態のバックルにおける係止爪の側面図である。
【図５】本発明の一実施形態のバックルを用いたベルトの構成を示す斜視図である。
【図６】ベルトの先端の係止用凹凸の説明に用いる正面図及び側面断面図である。
【図７】本発明の一実施形態のバックルを用いたベルトの着脱の説明に用いる斜視図である。
【図８】本発明の一実施形態のバックルを用いたベルトの説明に用いる断面図である。
【図９】従来のバックルの説明に用いる斜視図である。
【符号の説明】
【００３８】
１  バックル
１１  バックル基台
１２  バックル板
１３  爪挿入口
１４ａ,１４ｂ  ストッパ挿入口
１５  ベルト固定金具
１６ａ,１６ｂ  取付部
１７ａ,１７ｂ  側面板
１８  前面板
１９ａ,１９ｂ  ピン挿入口
２０  板材
２１ａ,２１ｂ  連接部
２２  係止爪支持板
２３  係止爪
２３ａ  係止部
２４ａ,２４ｂ  ストッパ
２５  軸受部
３１  スプリング
３２  回転軸
３３ａ,３３ｂ  ビス
５１  ベルト
５２  係止用凹凸
【図１】
0003117129.tif 000003
【図２】
0003117129.tif 000004
【図３】
0003117129.tif 000005
【図４】
0003117129.tif 000006
【図５】
0003117129.tif 000007
【図６】
0003117129.tif 000008
【図７】
0003117129.tif 000009
【図８】
0003117129.tif 000010
【図９】
0003117129.tif 000011